(57)【要約】【課題】間計測中にユーザーを楽しませることができるタイマー装置を提供する。【解決手段】本発明は、スタートスイッチ８が押されてからの時間を計測するタイマー６７と、タイマー６７により測定された時間が所定の時間経過するとそのことを報知する報知手段６９とを備えたタイマー装置である。頭部１１及び腕部１２及び脚部１３を有する本体部１と、前記本体部１に設けられて頭部１１及び腕部１２及び脚部１３を駆動させる駆動部２と、前記駆動部２を制御する制御部６とを備える。制御部６は、前記駆動部２の複数の動作パターンが記憶された動作パターン記憶部６２と、前記複数の動作パターンのうちから選択された動作パターンに基づいて前記駆動部２を制御する駆動制御部６５と、前記スタートスイッチ８が押されることで前記駆動制御部６５の制御を開始させる制御開始部６１とを有している。【選択図】図１
2013056116.tif 000002
【特許請求の範囲】
【請求項１】
スタートスイッチが押されてからの時間を計測するタイマーと、
前記タイマーにより測定された時間が所定の時間経過するとそのことを報知する報知手段と
を備えたタイマー装置であって、
頭部及び腕部及び脚部を有する本体部と、
前記本体部に設けられて頭部及び腕部及び脚部のうちのいずれか又は全部を駆動させる駆動部と、
前記駆動部を制御する制御部と
を備え、
前記制御部は、
前記駆動部の複数の動作パターンが記憶された動作パターン記憶部と、
前記複数の動作パターンのうちから選択された動作パターンに基づいて前記駆動部を制御する駆動制御部と、
前記スタートスイッチが押されることで前記駆動制御部の制御を開始させる制御開始部と
を有している
ことを特徴とするタイマー装置。
【請求項２】
前記制御部は、動作パターン記憶部に記憶された動作パターンをランダムに選択するランダム選択部をさらに備え、
前記ランダム選択部により選択された動作パターンに基づいて前記駆動制御部が駆動制御を行なう
ことを特徴とする請求項１記載のタイマー装置。
【請求項３】
前記制御部及び前記駆動部に電力を供給する電池セルをさらに備え、
前記制御部は、前記スタートスイッチの押圧時間を計測する押圧時間計測部をさらに備え、
前記駆動制御部は、前記電池セルの電気残量値と、前記押圧時間計測部による測定値とに基づいて任意の値を算出し、この任意の値に関連付けられた動作パターンを動作パターン記憶部から取得し、これに基づいて駆動部を制御するものである
ことを特徴とする請求項１又は請求項２のいずれかに記載のタイマー装置。
【発明の詳細な説明】
【技術分野】
【０００１】
本発明は、タイマー装置に関する。
【背景技術】
【０００２】
従来、スタートスイッチが押されてからの時間を計測するタイマーと、このタイマーの測定時間が所定の時間経過するとそのことを報知する報知手段とを備えたタイマー装置が知られている（例えば特許文献１参照）。
【０００３】
この種のタイマー装置は、ユーザーがスタートスイッチを押すことで時間の計測を開始し、一定時間経過後に、時間が経過したことを報知するものである。従来のタイマー装置は、スタートスイッチが押されてから時間の計測が開始されるが、タイマー作動中は単にタイマーの表示が数字でなされるだけである。
【先行技術文献】
【特許文献】
【０００４】
【特許文献１】特開２００３−３２９７８４号公報
【発明の概要】
【発明が解決しようとする課題】
【０００５】
しかしながら上記タイマー装置は、ユーザーがスタートスイッチを押してからも、単に時間の表示を数字で行なうに過ぎなかったので、ユーザーを退屈させてしまい楽しませることができなかった。
【０００６】
本発明は、上記事情に鑑みてなされたものであり、その目的とするところは、時間計測中にユーザーを楽しませることができるタイマー装置を提供することにある。
【課題を解決するための手段】
【０００７】
本発明のタイマー装置は、スタートスイッチが押されてからの時間を計測するタイマーと、前記タイマーにより測定された時間が所定の時間経過するとそのことを報知する報知手段とを備えたタイマー装置であって、頭部及び腕部及び脚部を有する本体部と、前記本体部に設けられて頭部及び腕部及び脚部のうちのいずれか又は全部を駆動させる駆動部と、前記駆動部を制御する制御部とを備え、前記制御部は、前記駆動部の複数の動作パターンが記憶された動作パターン記憶部と、前記複数の動作パターンのうちから選択された動作パターンに基づいて前記駆動部を制御する駆動制御部と、前記スタートスイッチが押されることで前記駆動制御部の制御を開始させる制御開始部とを有していることを特徴とする。
【０００８】
またこのタイマー装置において、前記制御部は、動作パターン記憶部に記憶された動作パターンをランダムに選択するランダム選択部をさらに備え、前記ランダム選択部により選択された動作パターンに基づいて前記駆動制御部が駆動制御を行なうことが好ましい。
【０００９】
またこのタイマー装置において、前記制御部及び前記駆動部に電力を供給する電池セルをさらに備え、前記制御部は、前記スタートスイッチの押圧時間を計測する押圧時間計測部をさらに備え、前記駆動制御部は、前記電池セルの電気残量値と、前記押圧時間計測部による測定値とに基づいて任意の値を算出し、この任意の値に関連付けられた動作パターンを動作パターン記憶部から取得し、これに基づいて駆動部を制御するものであることが好ましい。
【発明の効果】
【００１０】
本発明のタイマー装置によれば、時間計測中にユーザーを楽しませることができる。
【図面の簡単な説明】
【００１１】
【図１】本実施形態の斜視図であり（ａ）は頭部及び脚部及び腕部が出た状態を示し（ｂ）は頭部及び脚部及び腕部が収納された状態を示す。
【図２】本実施形態のタイマー装置の胴体部及び腕部を省略した斜視図である。
【図３】本実施形態のタイマー装置の胴体部及び腕部を省略した斜視図である。
【図４】本実施形態のタイマー装置の胴体部及び腕部を省略した背方から見た断面図である。
【図５】本実施形態のタイマー装置の胴体部及び腕部を省略した側方からみた断面図である。
【図６】本実施形態のタイマー装置の胴体部及び腕部を省略した分解斜視図である。
【図７】図１（ｂ）におけるＡ−Ａ線断面図である
【図８】本実施形態の制御部の構成を示すブロック図である。
【発明を実施するための形態】
【００１２】
以下、本発明の実施形態について添付図面に基づいて説明する。
【００１３】
本実施形態のタイマー装置は、図１に示されるように、人型ロボットの形状をしたタイマー装置である。このタイマー装置は、頭部１１及び腕部１２及び脚部１３を有する本体部１と、この本体部１に設けられた駆動部２と、駆動部２の動力を頭部１１及び腕部１２及び脚部１３に伝達する駆動機構部３と、駆動部２の制御を行なう制御部６とを備えている。本実施形態のタイマー装置は、タイマー作動中に、頭部１１及び腕部１２及び脚部１３を駆動させることで、ユーザーを楽しませるものである。
【００１４】
本体部１は、図１に示されるように、胴体部１４と、胴体部１４の上端部に回動自在に連結された腕部１２と、胴体部１４の下端部に収納自在に設けられた脚部１３と、胴体部１４の上端部に収納自在に設けられた頭部１１とを備えている。
【００１５】
腕部１２は、断面円弧形状をした板状の部材により構成されている。腕部１２は、裏側の上端部に、後述の第２の機構部５の腕連結部４１１に連結するための接続部１２１を有している。腕部１２は、その接続部１２１よりも上方に、胴体部１４に回動自在に連結するための枢支部１２２を有している。
【００１６】
脚部１３は、図２等に示されるように、略逆Ｕ字状に形成されている。脚部１３は、その下端に、床等の載置面に載置される足部１３１を備えている。足部１３１は、半円弧状で且つこの円弧部分が外側に臨むよう配置された底面部１３２と、底面部１３２の半円弧部分から上方に向けて突設された側面部１３３とを備え、カップを半割りしたような形状となっている。
【００１７】
頭部１１は、図６等に示されるように、略箱状に形成された顔部１１１と、この顔部１１１の下端部から下方に向けて突設された下方突設部１１２とを備えている。頭部１１は、この下方突設部１１２が、後述の第１の機構部４の第２の連結体４４に接続されると共に胴体部１４の上面部１４１に軸支部１８を介して枢支される。顔部１１１は、正面の上下方向の中央に、左右方向に離間した眼部１１３が設けられている。本実施形態の眼部１１３には、ＬＥＤ（図示せず）が埋設されている。このＬＥＤは制御部６に電気的に接続される。
【００１８】
胴体部１４は、本体部１の外郭の大部分を占める部分である。胴体部１４は、図１に示されるように、上面部１４１と、この上面部１４１の前後の両縁部から下方に向けて突設された外側部１４２とを備えている。外側部１４２は、水平断面で略半円弧状に形成されている。胴体部１４は、この外側部１４２の左右方向両端に位置する腕部収納部１５と、外側部１４２の下端部に位置する脚部収納部１６と、上面部１４１に凹没するよう設けられた頭部収納部１７とを備えている。胴体部１４は、腕部収納部１５の上端部分に、腕部１２を回動自在に支持する枢支部１２２が設けられている。胴体部１４は、図２に示されるように、上面部１４１の裏側に、頭部１１の下方突設部１１２を回動自在に軸支する軸支部１８が設けられている。軸支部１８は、軸と軸受け部とにより構成されているが、軸受け部の図示は省略している。
【００１９】
胴体部１４は、腕部収納部１５に腕部１２が収容され、脚部収納部１６に脚部１３が収容され、頭部収納部１７に頭部１１が収容されると、外側部１４２と腕部１２との外面が略面一状に位置し、外側部１４２と脚部１３の側面部１３３とが略面一状に位置し、上面部１４１と頭部１１の背面部分とが略面一状に位置する。これにより本体部１は、図１（ｂ）に示されるように、頭部１１及び腕部１２及び脚部１３が収容されると、逆円錐台形状を形成する。言い換えると本体部１は、各部を収納した状態では、所定の形状を形成する。
【００２０】
本体部１は、内部に駆動部２と駆動機構部３とを有している。駆動部２は、２つのモータ（第１のモータ２１と第２のモータ２２）により構成されている。駆動部２は、本体部１内に設けられた電池セル８１から、制御部６を介して電力の供給を受ける。
【００２１】
第１のモータ２１は、脚部１３及び頭部１１を駆動する。第１のモータ２１は、図２に示されるように、脚部１３の上端部に固定されている。第１のモータ２１は、後方に回転軸が臨むよう脚部１３に固定されている。第１のモータ２１は、胴体部１４内に位置するよう配置されており、外部に露出しない。
【００２２】
第２のモータ２２は腕部１２を駆動する。第２のモータ２２は、図３に示されるように、胴体部１４の内側面に、基台２３を介して固定されており、脚部１３とは独立して固定されている。第２のモータ２２は、上方に回転軸が臨むよう固定されている。第２のモータ２２は、胴体部１４内に収容配置されており、外部に露出しない。
【００２３】
駆動機構部３は、脚部１３及び頭部１１を連携して駆動する機構である第１の機構部４と、腕部１２を駆動する機構である第２の機構部５とを備えている。第１の機構部４は、第１のモータ２１を駆動源とする。また第２の機構部５は、第２のモータ２２を駆動源とする。
【００２４】
第１の機構部４は、図２に示されるように、第１のモータ２１に固定された作動杆４１を有している。作動杆４１は、第一端に第１のモータ２１の回転軸に固定される連結部４１１を有し、第二端に後方に突出する突起部４１２を有している。作動杆４１は、突起部４１２が、胴体部１４の内周面に設けられたスライド溝（図示せず）に、スライド自在に且つ回動自在に嵌め込まれている。作動杆４１は、第１のモータ２１が回転すると、連結部４１１を中心として回動する。これにより作動杆４１は、突起部４１２を支点として、脚部１３を胴体部１４内側（上方）に向けて移動させる。また第１のモータ２１が反対に回転すると、連結部４１１を中心として反対側に回転する。これにより作動杆４１は、突起部４１２を支点として、脚部１３を胴体部１４内側から外側（下方）に向けて移動させる。
【００２５】
第１の機構部４は、図５に示されるように、脚部１３の上端部に設けられた一対の溝部４２と、下端部がこの溝部４２に沿ってスライド自在に連結された側面視クランク状の第１の連結体４３と、下端部が第１の連結体４３の上端に回動自在に連結され且つ上端が胴体部１４の上面部１４１の裏側の軸支部１８に軸支された第２の連結体４４とを備えている。
【００２６】
第１の連結体４３は、その下端に、溝部４２内に突出した連結軸４３１を有している。第１の連結体４３は、脚部１３が胴体部１４の外側に位置する状態では、連結軸４３１が溝部４２の上端に位置する（図５の状態）。また第１の連結体４３は、脚部１３が胴体部１４内側に収容されると（つまり脚部１３が上方に移動すると）、連結軸４３１が、溝部４２に沿って当該溝部４２に対し相対的に下方に移動する。なお連結軸４３１は、溝部４２内をスライド移動するときは、胴体部１４に対しては上下方向に移動しない。脚部１３が上方に移動すると、第１の連結体４３は、連結軸４３１が溝部４２の下端にまで移動し、その後、さらに脚部１３の移動が継続することで、溝部４２の下端により上方に押し上げられる。これにより第１の連結体４３は、脚部１３の上方への駆動に遅れたタイミングで、第２の連結体４４を上方に押し上げる。
【００２７】
第２の連結体４４は、胴体部１４の上面部１４１に設けられた軸支部１８に回動自在に取り付けられている。第２の連結体４４は、その上端に頭部１１の下方突設部１１２が連結されている。第２の連結体４４は、軸支部１８を中心として回転すると、その回転に追従するようにして頭部１１を回動させる。
【００２８】
第２の連結体４４は、第１の連結体４３に押し上げられると、軸支部１８を中心として回動する。第２の連結体４４は、回動することで軸支部１８に枢支された頭部１１を回動し、当該頭部１１を胴体部１４の頭部収納部１７に収納する（図１（ｂ）参照）。
【００２９】
第２の機構部５は、図３，６に示されるように、第２のモータ２２に連結された円盤部５１と、円盤部５１に回動自在に連結された第１の腕連結部５２及び第２の腕連結部５３とを備えている。第１の腕連結部５２及び第２の腕連結部５３は、第一端に円盤部５１に回動自在に連結される円盤取付部５４と、第二端に腕部１２の接続部１２１に連結される作動部５５とを有している。第１の腕連結部５２の円盤取付部５４と第２の腕連結部５３の円盤取付部５４とは、円盤部５１の中心に対して、互いに反対側に位置するよう取り付けられている。第１の腕連結部５２及び第２の腕連結部５３は、正面視クランク状に形成されたクランクロッドにより構成されている。
【００３０】
第２のモータ２２が回転すると、円盤部５１が回転し、それに追従して第１の腕連結部５２と第２の腕連結部５３とが互いに離れる方向に移動する。これにより、第１の腕連結部５２の作動部５５と、第２の腕連結部５３の作動部５５とは、第２のモータ２２の中心軸から離れる方向に移動する。また第２のモータ２２が逆回転すると、円盤部５１が逆回転し、それに追従して第１の腕連結部５２と第２の腕連結部５３とが近付く方向に移動する。これにより、第１の腕連結部５２の作動部５５と、第２の腕連結部５３の作動部５５とは、第２のモータ２２の中心軸から近付く方向に移動する。
【００３１】
このような構成のタイマー装置は、脚部１３及び頭部１１を、胴体部１４から外方に突出した状態で、第１のモータ２１が回転すると、脚部１３を胴体部１４に収納し始める。その後、脚部１３の駆動の途中で、当該脚部１３の上方への移動に追従するよう、第１の連結体４３及び第２の連結体４４が移動し、これにより頭部１１が胴体部１４の頭部収納部１７に向けて駆動し始め、これにより脚部１３及び頭部１１が、胴体部１４に収納される（図７参照）。
【００３２】
この状態から第１のモータ２１が逆回転すると、脚部１３が下方に駆動し始める。すると、第１の連結体４３及び第２の連結体４４が下方に移動し、脚部１３の駆動にわずかに遅れたタイミングで、頭部１１が起き上がるよう駆動し始める。この後、脚部１３が下方に伸びるよう駆動し、頭部１１が完全に起き上がる（図５参照）。
【００３３】
またタイマー装置は、腕部１２が胴体部１４の腕部収納部１５に収納された状態で、第２のモータ２２が回転すると、胴体部１４に回動自在に連結された腕部１２が、内側から外側に向けて押圧され、これにより腕部１２が開放する。第２のモータ２２が逆回転すると、腕部１２が外側から内側に向けて引き込まれ、これにより腕部１２が閉じる（収納される）。
【００３４】
本実施形態のタイマー装置は、第１のモータ２１及び第２のモータ２２をそれぞれ制御する制御部６を備えている。本実施形態の制御部６は、第１のモータ２１と第２のモータ２２をそれぞれ駆動制御することで、本体部１の頭部１１及び脚部１３及び腕部１２のうちのいずれか又は全部を駆動させる。
【００３５】
タイマー装置は、時間計測を開始するスタートスイッチ８を有している。本実施形態のスタートスイッチ８は、図１に示されるように、収納状態にある頭部１１と、頭部１１の下方に設けられたスイッチング素子（図示せず）とを備えている。本実施形態のスタートスイッチ８は、収納状態の頭部１１を上方から押圧すると、当該頭部１１を介してスイッチング素子をＯＮできるよう構成されている。
【００３６】
制御部６は、マイクロプロセッサを主構成要素とする制御回路により構成される。制御部６は、本体内に収容されている。制御部６は、図８に示されるように、スタートスイッチ８からの信号が入力される制御開始部６１と、第１のモータ２１と第２のモータ２２との駆動パターンが複数記憶された動作パターン記憶部６２と、動作パターンをランダムに選択するランダム選択部６３と、選択された動作パターンを動作パターン記憶部６２から取得するパターン取得部６４と、取得された動作パターンに基づいて駆動部２を制御する駆動制御部６５とを備えている。また制御部６は、スタートスイッチ８の押圧時間を計測する押圧時間計測部６６をさらに備えている。また制御部６は、スタートスイッチ８がＯＮされると時間計測を開始するタイマー６７と、報知制御部６８とを備えている。
【００３７】
動作パターン記憶部６２は、第１のモータ２１と第２のモータ２２との回転・逆回転の組み合わせや駆動時間の組み合わせからなる動作パターンを複数記憶している。言い換えると、動作パターン記憶部６２は、駆動部２の複数の動作パターンを記憶している。動作パターン記憶部６２は、それぞれの動作パターンに一つのアドレスが割り当てられ、予めこれらを関連付けた状態で記憶している。つまり動作パターン記憶部６２は、第１の動作パターンと第１のアドレスが関連付けて記憶され、第２の動作パターンと第２のアドレスが関連付けて記憶され、以下同様にして、多数記憶している。
【００３８】
動作パターンは、例えば、腕部１２だけを細かく開閉させる動作や、脚部１３を途中まで移動させ、頭部１１は駆動しない動作や、腕部１２と脚部１３と頭部１１とを出した状態から頭部１１だけを収納させる動作など、一つの動作を一パターンとする。この一パターンが多数形成されている。
【００３９】
ランダム選択部６３は、動作パターン記憶部６２に記憶された動作パターンのうちから動作させる動作パターンをランダムに選択する。ランダム選択部６３は、複数のアドレス情報のうちから、いくつかのアドレスを選択し、そのアドレスのデータをパターン取得部６４に出力する。
【００４０】
ランダム選択部６３は、乱数を発生させて、これに基づいてランダムにアドレスを取得してもよいし、擬似乱数を生成して、これに基づいてランダムにアドレスを取得してもよい。本実施形態のランダム選択部６３は、スタートスイッチ８の押圧時間と、電池セル８１の電池残量とから擬似乱数を生成している。
【００４１】
制御部６は、スタートスイッチ８の押圧時間を計測する押圧時間計測部６６と、電池セル８１の電池残量を検知する電池残量検知部７０と、押圧時間計測部６６による計測値と電池残量検知部７０の測定値とから擬似乱数を算出する擬似乱数生成部７１とを備えている。電池残量検知部７０は、例えば電圧計により構成されている。
【００４２】
押圧時間計測部６６は、スタートスイッチ８の押圧時間を計測すると、その計測値を擬似乱数生成部７１に出力する。また電池残量検知部７０は、電池セル８１の電池の残量を検知すると、その検知値を擬似乱数生成部７１に出力する。擬似乱数生成部７１は、これらの測定値及び検知値が入力されると、所定の計算式により擬似乱数を算出し、このデータをランダム選択部６３に出力する。
【００４３】
ランダム選択部６３は、擬似乱数生成部７１からデータを取得すると、この乱数に基づいて複数のアドレスデータを生成する。ランダム選択部６３は、この生成した複数のアドレスデータを、パターン取得部６４に出力する。
【００４４】
パターン取得部６４は、ランダム選択部６３から複数のアドレスデータが入力されると、これに基づいて動作パターン記憶部６２から複数の動作パターンを取得する。パターン取得部６４は、動作パターン記憶部６２から取得した複数の動作パターンのデータを駆動制御部６５に出力する。
【００４５】
駆動制御部６５は、パターン取得部６４から複数の動作パターンのデータが入力されると、これらを組み合わせ、この情報に基づき、第１のモータ２１と第２のモータ２２とを制御する。駆動制御部６５は、パターン取得部６４から入力された複数の動作パターンを組み合わせるに当たり、単に取得順に時系列的に並べるだけでもよいし、順番を任意に組み替えてもよい。
【００４６】
制御部６は、スタートスイッチ８が押されると、時間の計測を開始するタイマー６７を備えている。タイマー６７は、この計測値を報知制御部６８と駆動制御部６５に出力する。
【００４７】
報知制御部６８は、報知手段６９を制御する。報知制御部６８は、タイマー６７の計測値が入力されると、その計測値が、ユーザーにより設定された設定値（以下、単に設定値という）を超えたか否かを判断する。報知制御部６８は、タイマー６７の計測値が設定値を超えると、報知手段６９を駆動し報知させるよう制御する。なお、設定値は、ユーザーがタイマー時間設定手段により任意に設定したものでもよいし、予め定められた時間（例えば、３分間）であってもよい。
【００４８】
報知手段６９は、例えば、音声や音楽を発するスピーカにより構成されている。また報知手段６９として、スピーカではなく、光により時間経過を報知するＬＥＤが取り付けられていてもよい。また報知手段６９は、駆動制御部６５と連携して、時間経過を動作により報知するものであってもよい。
【００４９】
なお駆動制御部６５は、タイマー６７から測定値が入力されると、その測定値が設定値を超えたか否かを判断する。駆動制御部６５は、タイマー６７の測定値が設定値を超えると、駆動部２の駆動を停止するよう制御する。
【００５０】
このような構成のタイマー装置は、ユーザーによりスタートスイッチ８が押圧されると、スタートスイッチ８のスイッチング素子は、電気的な信号を押圧時間計測部６６と制御開始部６１とタイマー６７とに出力する。押圧時間計測部６６は、スタートスイッチ８からの信号が入力されると、その電気的な信号から押圧時間を計測する。
【００５１】
押圧時間計測部６６は、その測定値を擬似乱数生成部７１に出力する。擬似乱数生成部７１は、押圧時間計測部６６から測定値が入力され、電池残量検知部７０から検知値が入力されると、擬似乱数を生成し、これをランダム選択部６３に出力する。ランダム選択部６３は、擬似乱数生成部７１から入力されたデータに基づいてアドレスを生成し、これをパターン取得部６４に出力する。
【００５２】
パターン取得部６４は、ランダム選択部６３から入力されたデータに基づいて動作パターン記憶部６２から複数の動作パターンを取得する。パターン取得部６４は、取得した複数の動作パターンを駆動制御部６５に出力する。
【００５３】
駆動制御部６５は、制御開始部６１からデータが入力され且つパターン取得部６４からデータが入力されると、パターン取得部６４から入力された複数の動作パターンのデータに基づいて駆動部２の制御を行なう。
【００５４】
一方、スタートスイッチ８から信号を受けたタイマー６７は、時間計測を開始し、この計測値を駆動制御部６５と報知制御部６８とに出力する。報知制御部６８は、タイマー６７の計測値に基づいて報知手段６９を制御する。また駆動制御部６５は、タイマー６７の計測値に基づいて、駆動部２の停止を実行する。
【００５５】
このように本実施形態のタイマー装置は、スタートスイッチ８が押されてから、腕部１２及び頭部１１及び脚部１３をさまざまな動作パターンで駆動させるため、スタートスイッチ８が押されてから報知手段６９による報知が行なわれる間、ユーザーを視覚的に楽しませることができる。
【００５６】
また、本実施形態のタイマー装置は、動作パターンが、複数のうちからランダムに選択されるため、スタートスイッチ８を押す度に異なる動作パターンで、腕部１２及び頭部１１及び脚部１３を駆動させることができる。これにより、ユーザーをより退屈させることなく楽しませることができる。
【００５７】
しかも本実施形態のタイマー装置は、一の動作パターンを組み合わせて、駆動部２を駆動させるものであるため、スタートスイッチ８が押されてから報知手段６９による報知が行なわれる間の動作としては、ほぼ再現性のないようなパターンを形成できる。これにより、ユーザーに飽きがこないようにすることができる。
【００５８】
なお本実施形態のタイマー装置は、ランダム選択部６３が、擬似乱数を発生させて、これに基づいてランダムに動作パターンを取得するものであったが、電池残量検知部７０により検知された電池残量値と、タイマー時間の設定値とを用いて、その電池残量でも設定時間内に動作し続けることが可能な動作パターンを選択するよう構成することも可能である。
【００５９】
つまり、動作パターン記憶部６２に、動作パターンとその動作により消費する電力値とを予め対応させて記憶しておく。そして、パターン取得部６４が、電池残量検知部７０から入力された情報と、動作パターン記憶部６２に記憶された電力値とに基づいて、動作パターンを取得すればよい。
【００６０】
また、電池残量検知部７０に基づいて、動作可能な範囲の電力値を決定し、その範囲にある電力値に対応する複数の動作パターンの中から、ランダムに動作パターンを取得してもよい。
【００６１】
なお、本実施形態のタイマー装置は、脚部１３と頭部１１とが連携した構成となっていたが、本発明のタイマー装置は、各部に対応するモータが設けられてもよい。すなわち、頭部１１と脚部１３と腕部１２とは、各個独立して駆動するものであってもよい。
【符号の説明】
【００６２】
１    本体部
１１    頭部
１１１  顔部
１２    腕部
１３    脚部
１３１  足部
１４    胴体部
１５    腕部収容部
１６    脚部収容部
１７    頭部収容部
２      駆動部
２１    第１のモータ
２２    第２のモータ
３      駆動機構部
４      第１の機構部
５      第２の機構部
６      制御部
６１    制御開始部
６２    動作パターン記憶部
６３    ランダム選択部
６４    パターン取得部
６５    駆動制御部
６６    押圧時間計測部
６７    タイマー
６８    報知制御部
６９    報知手段
７０    電池残量検知部
７１    擬似乱数生成部
８      スタートスイッチ
８１    電池セル
【図１】
2013056116.tif 000003
【図２】
2013056116.tif 000004
【図３】
2013056116.tif 000005
【図４】
2013056116.tif 000006
【図５】
2013056116.tif 000007
【図６】
2013056116.tif 000008
【図７】
2013056116.tif 000009
【図８】
2013056116.tif 000010